(57)【要約】【課題】本考案のスプレー補助具は握り保持部の着脱が容易で、市販されている、スプレー缶商品の吹きつけ作業に適し、握力の少ない人、手の小さい人のも容易に容液を使用しきったときの着脱が出来、また長時間スプレー吹き付け作業をする人の手腕の疲労を無くし、新たにスプレー缶商品を取り付ける際も、簡単に出来ることを目的としている。【解決手段】スプレー缶Ａの嵌合フランジ部Ｂとノド部Ｄにｈ寸法の隙間があり着脱自在に保持するノド支え１と嵌合フランジ固定バンド２、嵌合フランジ固定バンド爪３、嵌合フランジ固定レバー４を保持杆５に配置することによりスプレー缶Ａを固定保持し、グリップ９、プッシュレバー８と連動するＶ字カム１３、Ｅ字フック１０、ストッパー７、押圧子１４を設置した構成にした。【選択図】図１
0003125848.tif 000002
【実用新案登録請求の範囲】
【請求項１】
グリップ（９）を手で握り、その握った手の指で操作レバー（８）を移動操作させることによって、この移動操作と連動して上下動する押圧子（１４）が、保持手段（１，２；３１，３２；５１，５２，５３；６１．６２）によって保持されているスプレー缶の指圧噴射部（Ｃ）を押してスプレーするスプレー補助具において、前記操作レバーはスプレー缶の指圧噴射部の後方に位置するものであり、保持手段は，スプレー缶ノド部（Ｄ）を着脱自在に保持するものであり、前記押圧子は指圧噴射部との位置関係を調整可能にしたことを特徴とするスプレー補助具。
【請求項２】
グリップを手で握り、その握った手の指で操作レバーを移動操作させることによって、この移動操作と連動して上下動する押圧子が、保持手段によって保持されているスプレー缶の指圧噴射部を押してスプレーするスプレー補助具において、前記操作レバーはスプレー缶の指圧噴射部の後方に位置するものであり、前記保持手段は，スプレー缶ノド部直上の嵌合フランジを着脱自在に保持するものであり、前記押圧子は指圧噴射部との位置関係を調整可能にしたことを特徴とするスプレー補助具。
【請求項３】
グリップを手で握り、その握った手の指で操作レバーを移動操作させることによって、この移動操作と連動して上下動する押圧子が、保持手段によって保持されているスプレー缶の指圧噴射部を押してスプレーするスプレー補助具において、前記操作レバーはスプレー缶の指圧噴射部の後方に位置するものであり、保持手段は，スプレー缶のノド部を挟んで支えるノド支え手段と、嵌合フランジ部に引掛けて前記ノド支え手段にスプレー缶を押し付けて位置決め固定する嵌合フランジ押さえ手段とからなるものであり、前記押圧子は指圧噴射部との位置関係を調整可能にしたことを特徴とするスプレー補助具。
【請求項４】
グリップを手で握り、その握った手の指で操作レバーを移動操作させることによって、この移動操作と連動して上下動する押圧子が、保持手段によって保持されているスプレー缶の指圧噴射部を押してスプレーするスプレー補助具において、前記操作レバーはスプレー缶の指圧噴射部の後方に位置するものであり、保持手段は二枚の板を挟み形状にして、スプレー缶ノド部を挟み着脱脱自在に保持する構造にしたものであり、前記押圧子は指圧噴射部との位置関係を調整可能にしたことを特徴とするスプレー補助具。
【請求項５】
グリップを手で握り、その握った手の指で操作レバーを移動操作させることによって、この移動操作と連動して上下動する押圧子が、保持手段によって保持されているスプレー缶の指圧噴射部を押してスプレーするスプレー補助具において、前記操作レバーはスプレー缶の指圧噴射部の後方に位置するものであり、保持手段は凹形状の嵌合フランジ支えを設け、この嵌合フランジ支えにスプレー缶嵌合フランジを押し付けて嵌合フランジバンドを、嵌合フランジに対称に掛け嵌合フランジバンドレバーを操作し嵌合フランジを押さえて着脱自在にしたものであり、前記押圧子は指圧噴射部との位置関係を調整可能にしたことを特徴とするスプレー補助具。
【請求項６】
グリップを手で握り、その握った手の指で操作レバーを移動操作させることによって、この移動操作と連動して上下動する押圧子が、保持手段によって保持されているスプレー缶の指圧噴射部を押してスプレーするスプレー補助具において、前記操作レバーはスプレー缶の指圧噴射部の後方に位置するものであり、保持手段はスプレー缶嵌合フランジ部を嵌合フランジ支えに押し付けて、スプレー缶ノド部にノド部固定リングを掛けリング端しを嵌合フランジ支えに引っ掛けて保持する構造にするとともに、前記押圧子は指圧噴射部との位置関係を調整可能にしたことを特徴とするスプレー補助具。
【請求項７】
グリップを手で握り、その握った手の指で操作レバーを移動操作させることによって、この移動操作と連動して上下動する押圧子が、保持手段によって保持されているスプレー缶の指圧噴射部を押してスプレーするスプレー補助具において、前記操作レバーはスプレー缶の指圧噴射部の後方に位置するものであり、保持手段はスプレー缶肩部のくぼみ部（Ｅ）に掛ける爪（７１，７２）を有するともに端フック（７３a）に角型リング（７４）を引っ掛けて、リング固定レバー（７５）を操作してスプレー缶本体を着脱自在に保持する缶固定クランプバンド（７３）からなるものであり、前記押圧子は指圧噴射部との位置関係を調整可能にしたことを特徴とするスプレー補助具。
【請求項８】
グリップを手で握り、その握った手の指で操作レバーを移動操作させることによって、この操作レバー移動操作と連動して上下動する押圧子が、保持手段によって保持されているスプレー缶の指圧噴射部を押してスプレーするスプレー補助具において、前記操作レバーの移動を拘束、または、その解除を行うストッパーと、前記操作レバーと前記保持手段の操作に連動して、スプレー缶着脱操作の拘束、およびその解除とを互いに噛み合って関連付けるリンク機構を設け、このリンク機構によって、前記操作レバーを被動作位置に拘束したときには前記保持手段によるスプレー缶着脱操作が可能となり、前記操作レバーを被動作位置から解除して動作位置に戻したときには前記保持手段によるスプレー缶の着脱操作が不能となることを特徴とするスプレー補助具。
【考案の詳細な説明】
【技術分野】
【０００１】
本考案はスプレー補助具に関する。
【背景技術】
【０００２】
従来のスプレー缶の遠隔噴射装置はスプレー缶を着脱自在に固定保持する保持部の上部に、スプレー缶噴射作動部を押圧する操作杆を移動自在に設け前記保持部に所定長さの腕杆を突設し、この腕杆の前記保持部と離れた位置に握保持を設け、この握保持部に握保持部を持した手の指で操作する操作レバーを設け、この操作レバーを移動操作することにより前記操作杆が移動して前記噴射作動部押動部を押圧せしめる遠隔操作機構を設けたスプー缶の遠隔噴射装置であって、このスプレー缶遠隔噴射装置はスプレー缶を保持固定する際、缶の外径違い高さ違いに対して保持位置を選定し、操作杆を移動しスプレー缶外形を遠隔噴射装置の嵌合部に合せ、嵌合部に取り付けたスプリングで缶を固定するような構造になっているがスプレー缶外径は多種類あり、この保持方法では使用できるスプレー缶が限られてしまう、またこの遠隔噴射装置は異なる内容液に交換する時、スプレー吹き付け作業の準備に手間が掛かる欠点ある。（特許文献１参照）
尚上記記載と異なるスプレー噴射装置を取り付けたスプレー缶があるが、これらのスプレー缶には噴射装置部が、その缶に専用に取り付けてあり、また噴射口側に指で操作する操作レバーが取り付けてあり噴射の際、指に噴射液がかかる可能性がある、その他内容液を使用し切った時、汎用性がなく異なるスプレー缶に使用が出来ない欠点がある。（特許文献２〜４参照）
【特許文献１】特開平９−１８７６９０号公報
【特許文献２】特開平２００３−２９９９９０号公報
【特許文献３】特開平２００２−１６６９８２号公報
【特許文献４】実開平６−６０５４５７号公報
【考案の開示】
【考案が解決しようとする課題】
【０００３】
本考案は以上のような従来の欠点に鑑み、スプレー缶Ａ，嵌合フランジＢ、ノド部外径Ｄ、ノド部隙間ｈは缶外径の大小、缶の長短に関連なく一定の寸法に製作されていること及び指圧噴射部Ｃ（ボタン）は嵌合フランジＢからの頂上高位置が高低あり、頭部形状には（径の大小、舌形状、傾斜形状）の物もある、ここに着眼してなされたもので多種類のスプレー缶に互換性をもって着脱使用可能であり、その交換作業を簡素化した構造とするとともに誤動作防止機構を備えたスプレー補助具を提供することを目的としている。
【課題を解決するための手段】
【０００４】
上記目的を達成するために、本第一の考案はグリップを手で握り、その握った手の指で操作レバーを移動操作させることによって、この移動操作と連動して上下動する押圧子が、保持手段によって保持されているスプレー缶の指圧噴射部を押してスプレーするスプレー補助具において、前記操作レバーはスプレー缶の指圧噴射部の後方に位置するものであり。保持手段は，スプレー缶ノド部を着脱自在に保持するものであり、前記押圧子は指圧噴射部との位置関係を可変可能にしたことを特徴とするスプレー補助具を構成している。
【０００５】
上記目的を達成するために、本第二の考案はグリップを手で握り、その握った手の指で操作レバーを移動操作させることによって、この移動操作と連動して上下動する押圧子が、保持手段によって保持されているスプレー缶の指圧噴射部を押してスプレーするスプレー補助具において、前記操作レバーはスプレー缶の指圧噴射部の後方に位置する、前記保持手段は，スプレー缶ノド部直上の嵌合フランジを着脱自在に保持するものであり、前記押圧子は指圧噴射部との位置関係を可変可能にしたことを特徴とするスプレー補助具を構成している。
【０００６】
上記目的を達成するために、本第三の考案はグリップを手で握り、その握った手の指で操作レバーを移動操作させることによって、この移動操作と連動して上下動する押圧子が、保持手段によって保持されているスプレー缶の指圧噴射部を押してスプレーするスプレー補助具において、前記操作レバーはスプレー缶の指圧噴射部の後方に位置する、保持手段は，スプレー缶のノド部を挟んで支えるノド支え手段と、嵌合フランジ部に引掛けて前記ノド支え手段にスプレー缶を押し付けて位置決め固定する、嵌合フランジ押さえ手段とからなるものであり、前記押圧子は指圧噴射部との位置関係を可変可能にしたことを特徴とするスプレー補助具を構成している。
【０００７】
上記目的を達成するために、本第四の考案はグリップを手で握り、その握った手の指で操作レバーを移動操作させることによって、この移動操作と連動して上下動する押圧子が、保持手段によって保持されているスプレー缶の指圧噴射部を押してスプレーするスプレー補助具において、前記操作レバーはスプレー缶の指圧噴射部の後方に位置する、保持手段は二枚の板を挟み形状にして、スプレー缶ノド部を挟み着脱脱自在に保持する構造にしたものであり、前記押圧子は指圧噴射部との位置関係を可変可能にしたことを特徴とするスプレー補助具を構成している。
【０００８】
上記目的を達成するために、本第五の考案はグリップを手で握り、その握った手の指で操作レバーを移動操作させることによって、この移動操作と連動して上下動する押圧子が、保持手段によって保持されているスプレー缶の指圧噴射部を押してスプレーするスプレー補助具において、前記操作レバーはスプレー缶の指圧噴射部の後方に位置する、保持手段は凹形状の嵌合フランジ支えを設け、この嵌合フランジ支えにスプレー缶嵌合フランジを押し付けて嵌合フランジバンドを、嵌合フランジに対称に掛け嵌合フランジバンドレバーを操作し嵌合フランジを押さて着脱自在にしたものであり、前記押圧子は指圧噴射部との位置関係を可変可能にしたことを特徴とするスプレー補助具を構成している。
【０００９】
上記目的を達成するために、本第六の考案はグリップを手で握り、その握った手の指で操作レバーを移動操作させることによって、この移動操作と連動して上下動する押圧子が、保持手段によって保持されているスプレー缶の指圧噴射部を押してスプレーするスプレー補助具において、前記操作レバーはスプレー缶の指圧噴射部の後方に位置する、保持手段はスプレー缶嵌合フランジ部を嵌合フランジ支えに押し付けて、スプレー缶ノド部にノド部固定リングを掛けリング端しを嵌合フランジ支えに引っ掛けて保持する構造にするとともに、前記押圧子は指圧噴射部との位置関係を可変可能にしたことを特徴とするスプレー補助具を構成している。
【００１０】
上記目的を達成するために本第七の考案はグリップを手で握り、その握った手の指で操作レバーを移動操作させることによって、この移動操作と連動して上下動する押圧子が、保持手段によって保持されているスプレー缶の指圧噴射部を押してスプレーするスプレー補助具において、前記操作レバーはスプレー缶の指圧噴射部の後方に位置するものであり、保持手段はスプレー缶肩部のくぼみ部に掛ける爪を有するともに端フックに角型リングを引っ掛けて、リング固定レバーを操作してスプレー缶本体を着脱自在に保持する缶固定クランプバンドからなるものであり、前記押圧子は指圧噴射部との位置関係を調整可能にしたことを特徴とするスプレー補助具。
【００１１】
上記目的を達成するために、本第八の考案はグリップを手で握り、その握った手の指で操作レバーを移動操作させることによって、この操作レバー移動操作と連動して上下動する押圧子が、保持手段によって保持されているスプレー缶の指圧噴射部を押してスプレーするスプレー補助具において、前記操作レバーの移動を拘束、または、その解除を行うストッパーと、前記操作レバーと前記保持手段の操作に連動するリンク機構を備えていて、スプレー缶着脱操作の拘束、およびその解除とを互いに噛み合って関連付けるリンク機構を設け、このリンク機構によって、前記操作レバーを被動作位置に拘束したときには前記保持手段によるスプレー缶着脱操作が可能となり、前記操作レバーを被動作位置から解除して動作位置に戻したときには前記保持手段によるスプレー缶の着脱操作が不能となることを特徴とするスプレー補助具を構成している。
【考案の効果】
【００１２】
本第一の考案のスプレー補助具は標準寸法で製作されてある、スプレー缶ノド部を着脱自在に保持するものであり缶の外径の大小、缶の高低を選定せず、多種類のスプレー缶に着脱自在に使用でき、また指圧噴射部には多種類の形態に対応可能なように位置を調整可能にしたもので、指圧射部の形態に合わせ調整しスプレー噴射作業が出来、操作レバーはスプレー缶の指圧噴射部の後方に位置させたので、手指に噴射溶液がかかるのを防止している。また着脱保持が簡単であるから塗装する際の塗色の交換も自在であり、その他、防水スプレーを必要とする衣服、バイク、車のカバー等にスプレー作業するさいでも目的対応容器の交換が自在で、作業効率も向上する。
【００１３】
本第二の考案のスプレー補助具は標準寸法で製作されてある、スプレー缶ノド部直上の嵌合フランジを着脱自在に保持するものであり、本第三の考案のスプレー補助具は，スプレー缶のノド部を挟んで支えるノド支え手段と、嵌合フランジ部に引掛けて前記ノド支え手段にスプレー缶を押し付けて位置決め固定する、嵌合フランジ押さえ手段とからなるものであり、本第四の考案のスプレー補助具は、スプレー缶ノド部を挟み着脱脱自在に保持する構造にしたものであり、本第五の考案のスプレー補助具は、保持手段は凹形状の嵌合フランジ支えを設け、この嵌合フランジ支えにスプレー缶嵌合フランジを押し付けて嵌合フランジバンドを、嵌合フランジに対称に掛け嵌合フランジバンドレバーを操作し嵌合フランジを押さて着脱自在にしたものであり、本第六の考案のスプレープレ補助具は嵌合フランジ部を嵌合フランジ支えに押し付けて、スプレー缶ノド部にノド部固定リングを掛けリング端しを嵌合フランジ支えに引っ掛けて保持する構造にしたものであり、本第七の考案のスプレー補助具は爪を設けたクランプバンドを缶本体の肩部、くぼみ部に爪を掛け角型リングをクランプバンド端フック引っ掛け、リング固定レバーを操作し缶本体を着脱保持する構造にしたものであり、上記のような保持手段でも、操作レバーはスプレー缶の指圧噴射部の後方に位置させたので、本第１の考案の効果と同様な効果がえられる。
【００１４】
本第八の考案はグリップを手で握り、その握った手の指で操作レバーを移動操作させることによって、この操作レバー移動操作と連動して上下動する押圧子が、保持手段によって保持されているスプレー缶の指圧噴射部を押してスプレーするスプレー補助具において、前記操作レバーの移動を拘束、または、その解除を行うストッパーと、前記操作レバーと前記保持手段の操作に連動するリンク機構を備えていて、スプレー缶着脱操作の拘束、およびその解除とを互いに噛み合って関連付けるリンク機構を設け、このリンク機構によって、前記操作レバーを被動作位置に拘束したときには前記保持手段によるスプレー缶着脱操作が可能となり、前記操作レバーを被動作位置から解除して動作位置に戻したときには前記保持手段によるスプレー缶の着脱操作が不能となる構造としたので、第一の考案の効果に加え更に誤噴射防止及びスプレー缶脱落機構を備えた安全にスプレー吹き付け作業が出来かつ、溶液の節約ができる。
【考案を実施するための最良の形態】
【００１５】
以下、本考案による実施例を記述する。
【実施例１】
【００１６】
図１、図２及び図９に示す本考案を実施するための最良の第一形態で本考案を詳細に説明する。図１はスプレー缶Ａを本考案のスプレー補助具に取り付けスプレー吹き付け作業が出来る状態図である。図２は本考案のスプレー補助具の斜視図である。図９は缶固定レバー４、Ｅ字フック１０、Ｖ字カム１３、プッシュレバー８接蝕動作図である。また図１０はスプレー缶主要寸法を示す図である。
【００１７】
図８に示す様にスプレー缶Ａ主要寸法は缶の外径の大小、高低に関連なく、ノド部Ｄの外径ｄは３０．５ミリ、ノド部隙間ｈは１．５ミリ、嵌合フランジ外径ｂは３３ミリ、指圧噴射部は高さ１５〜２０ミリで製作されている、（寸法はサンプル測定値）。
【００１８】
このスプレー補助具は以下の構造体からなっている。９は手で握るグリップであり、５はグリップ９を両端から挟んで固定する２枚の板からなる、保持杆５である。この保持杆５の先端にはノド支え１が固定されていて、このノド支え１の先端はスプレー缶Ａのノド部隙間ｈを挟んで保持する、凹み形状の切り欠き２１が形成されている。
【００１９】
８はプッシュレバーであり保持杆５の中間にプッシュレバー回動支点６で回動可能に固定されていて、先端はＬ字形に曲がっていて、その端部にはスプレー缶Ａの指圧噴射部Ｃを常に軸垂直方向に押圧する為の押圧子１４が押圧子回動支点６−４で回動可能に軸支されている。またＬ字の屈折部分には、Ｕ字状のストッパー７がストッパー回動支点６−３で回動可能に軸支されていてストッパー７は保持杆５に設けられている、ストッパー固定位置１２の切欠き部に符号するようにしてある。
【００２０】
回動支点６はスプレー缶を保持し、プッシュレバー８、グリップ９を把手したとき、手指がスプレー缶に接触しない位置を保つようにし、またスプレー指圧噴射部Ｃ中心を押圧するプッシュレバー８が回動保持される構成とした。
【００２１】
また保持杆５に設けたノド支え１側に嵌合フランジ固定レバー４を設け、嵌合フランジ固定レバー４には嵌合フランジ固定バンド２を設けている、嵌合フランジ固定バンド２は嵌合固定レバー４を作動させてスプレー缶を固定する構成にした。
【００２２】
嵌合フランジ固定レバー４の回動支点は保持杆５のノド支え側に回動支点６−１に設け、スプレー缶Ａを保持したとき嵌合フランジ固定レバー４回動支点６−１より下位置になるように、嵌合フランジ固定レバー４に嵌合フランジ固定バンド２の回動支点６−２を設けこの回動支点に嵌合フランジ固定バンド２と回転スプリング１１が設けてある。
スプレー缶Ａ着脱保持はノド支え１を嵌合フランジ部Ｂとスプレー缶Ａ、ノド部Ｄ、の隙間ｈに指圧噴射口背面側から挿入し嵌合フランジ固定バンド２を指圧噴射口側に下げ、嵌合フランジ部Ｂとスプレー缶Ａ、ノド部の隙間に嵌合フランジ固定バンド２の爪３を掛け、嵌合フランジ固定レバー４を指でスプレー缶側に下げ、スプレー缶Ａのノド部と嵌合フランジＢを締め付け保持固定する構成にした。
プッシュレバー8には回動支点６−３、６−４を設け回動支点６−４には押圧子１４を取付け押圧子は指圧噴射部、嵌合フランジからの高低位置関係を調整可能に回転移動操作できる構成にしてある、屈折部回動支点６−３には、缶支え１と反対方向にストッパー７が連結されてある。
【００２３】
スプレー補助具はプッシュレバー８に連結したストッパー７を保持杆５に設けたストッパー保持位置１２に固定すると、プッシュレバー８に設けた突角１５がＶ字カム１３に接触し、Ｖ字カムの回動支点６−５を中心に上部に回転し、Ｖ字カム１３の一方がＥ字フック１０に接触し、Ｅ字フック１０の回動支点６−６を中心にＥ字フック１０を下降方向に回転させ嵌合フランジ固レバー４とE字フック１０の間に隙間が生じ、嵌合フランジ固定レバー４が開放され、嵌合フランジ固定レバー４と連動する嵌合フランジ固定バンド２も開放される構成にした。
【００２４】
グリップ９、プッシュレバー８を把手しストッパー７を外すとプッシュレバー８が指圧噴射部Ｃ側に傾斜し、プッシュレバー８の突角１５に接触していたＶ字カム１３が開放され、Ｅ字フック１０に取り付けた作動スプリング１６が作動することによりＥ字フック１０の先端が嵌合フランジ固定レバー４の上部に回転し、嵌合フランジ固定レバー４の作動を停止させスプレー缶Ａの脱落を防止する構造であり作業の安全性が向上する作用効果がえられる。
【００２５】
スプレー缶Ａ取外しはストッパー７を保持杆５のストッパー１２位置に固定し、嵌合フランジ固定レバー４を指で引き上げると、回転スプリング１１が作動し嵌合フランジ固定レバー４が上部に跳ねると同時に、嵌合フランジ固定バンド２が自動的に嵌合フランジとノド部隙間から外れ、スプレー缶Ａの取り外しが簡単に出来る構造にしてあるり、目的対応の容器の交換が自在で作業性が向上する作用効果がえられる。
【００２６】
スプレー作業時はプッシュレバー８の先端部の押圧子１４を回転移動調整してスプレー缶Ａ指圧噴射部Ｃ（頭部形状の径の大小、舌形状、傾斜形状）の形態の高低位置に合せ、また指圧噴射部Ｃの形態が舌形状のときは押圧子１４側の固定押圧子１４-1が押圧する構成にしてあり、汎用性を持たせた構造であり、グリップ９を手の平に当てプッシュレバー８を指で軽く握ると回動支点６に軸支されたプッシュレバー８の先端部の押圧子が下降し、指圧噴射部Ｃを下げスプレーが噴射し、吹付け時間の長短に関連なく吹付け作業効率が向上する作用効果がえられる。
【実施例２】
【００２７】
図３に示す本考案を実施するための第二の形態において、前記本考案を実施するための最良の第一の形態と主に異なる点は、保持杆５に嵌合フランジ支え３１を設けスプレー缶、ノド部直上の嵌合フランジ部Ｂを嵌合フランジ支え３１に挿入し、嵌合フランジバンド３３を嵌合フランジ支えと対称に嵌合フランジ掛け嵌合フランジ固定レバー３２を操作して嵌合フランジバンドを絞めスプレー缶嵌合フランジ部Ｂを着脱保持固定する、また図示しないが嵌合フランジバンドをリング形状にしてノド部Ｄに掛け嵌合フランジ支えにはカム形状の嵌合フランジ押出し機構を設け、これを操作して嵌合フランジを締め着け保持することも可能である点で、このように形成したスプレー補助具にしても、前記本考案を実施するための最良の第一の形態と同様な作用効果がえられる。
【００２８】
図４に示す本考案を実施するための第三の形態において、前記本考案を実施するための最良の第一の形態と主に異なる点は、キャップ形態４１の保持構造にし、キャップ４１下部にスプレー缶嵌合フランジＢ部固定バンド４４とバンド固定レバー４５を設け、スプレー缶Ａの嵌合フランジ部Ｂにキャップ４１を被せバンド固定レバー４５を操作し自在に着脱保持する構造にした、またスプレー噴射には噴射押圧レバー４２と指圧噴射部Ｃの高低調整ネジ４３を操作して押圧位置きめするスプレー補助具にしても最良の第一の形態と同様な作用効果がえられる。
【００２９】
図５に示す本考案を実施するための第四の形態において、前記本考案を実施するための最良の第一の形態と主に異なる点は、保持杆５の先端両側にノド部固定挟み板保持部５１を設けその保持部にノド部固定挟み板先端が半円形状の二枚の板５３を作動可能に保持させ反対側にはノド部固定挟み先端を開閉させるための隙間を設け、この隙間には保持杆５に設けたツマミの下位置に設けた杆が挟まれ構造、スプレー缶ノド部Ｄを、ノド部固定挟み板５３で挟み、保持杆５に設けたツマミ５２を回し、ノド部固定挟み板５３先端を開閉させることによりスプレー缶を着脱保持固定する、また指圧噴射部を押圧する押圧子Ｘ５４はプッジュレバー８に設けた押圧子Ｘ固定ネジ５５で押圧子Ｘ５４を前後に移動させ指圧噴射部形状に合わせ固定する構成にした、尚図示しないがノド部固定挟み板５３を変形し嵌合フランジ部Ｂを挟み保持する事も可能であり、このように形成したスプレー補助具にしても、前記本考案を実施するための最良の第一の形態と同様な作用効果がえられる。
【００３０】
図６に示す本考案を実施するための第五の形態において、前記本考案を実施するための最良の第一の形態と主に異なる点は、本考案と異なる構造のスプレー補助具であって、スプレー缶保持はノド部Ｄを、挟み５１で保持しスプレー缶固定はツマミ５２を操作し缶を固定する、またこのスプレー補助具は操作レバー６８が握保持部６９にあり、スプレー噴射部Ｃは腕杆６５により手元から離れた位置にスプレー缶を保持するので、手の届きにくい場所でのスプレー噴射が出来る構造である、このように形成したスプレー補助具にしても、前記本考案を実施するための最良の第一の形態と同様な作用効果がえられる。
【００３１】
尚図示しないが腕杆６５を延縮可能にしたものでも良い。またスプレー缶のノド部Ｄ又は嵌合フランジ部Ｂを保持する保持手段は、それぞれの形態において使用されたノド支え（１、３１、４１、５１）と嵌合フランジ固定バンド（２，３３、４２、）とを自在に組み合わせて使用することが出来ることは言うまでもない。
【００３２】
図７に示す本考案を実施するための第六の形態において、前記本考案を実施するための最良の第一の形態と主に異なる点は、本考案と異なる構造のスプレー補助具であって、スプレー缶保持手段はスプレー缶本体Ａに缶固定クランプバンド７３を指圧噴射部上部から掛けて、クランプバンド７３に設けたストッパー爪７１とクランプバンド爪７２を缶本体肩部のくぼみ部Ｅに掛けてクランプバンド７３の端フック７３aに角型リング７４を引っ掛けて、角型リング７４と連動するリング固定レバー７５を指で操作してスプレー缶本体を着脱自在に保持できる構成にした、スプレー補助具に置いても、前記本考案を実施するための最良の第一の形態と同様な作用効果がえられる。
【産業上の利用可能性】
【００３３】
本考案のスプレー補助具を使用する事によりスプレー缶Ａの交換が自在に出来、また小型、軽量（重量125グラム）に製作されているので、吹き付け作業の軽減が図られ、趣味でスプレーを使用する人、職業でスプレー作業をする人、手の握力が少なく手の小さい人も容易に杷持操作できようにした最適のスプレー補助具として提案する。
【図面の簡単な説明】
【００３４】
【図１】本考案の第一の実施の形態の使用状態図
【図２】本考案の第一の実施の形態のスプレー補助具、押圧子回転移動斜視図
【図３】異なる形態の第二の実施の形態の嵌合フランジクランプ方式スプレー補助具、斜視図
【図４】異なる形態の第三の実施の形態のキャップ方式スプレー補助具図
【図５】異なる形態の第四の実施の形態の挟み方式スプレー補助具、斜視図
【図６】異なる形態の第五の実施の形態のスプレー補助具、遠隔噴射方式斜視図
【図７】異なる形態の第六の実施の形態のスプレー補助具、斜視図
【図８】異なる形態の第六の形態のスプレー補助具図
【図９】缶固定レバー４、Ｅ字フック１０、Ｖ字カム１３、プッシュレバー８接蝕動作図
【図１０】スプレー缶主要寸法ノド部図
【符号の説明】
【００３５】
Ａ  スプレー缶    
Ｂ  嵌合フランジ、b外径  
Ｃ  指圧噴射部    
Ｄ  ノド部、d外径    
Ｅ  肩部くぼみ
ｈ  ノド部隙間
１  ノド支え
２  嵌合フランジ固定バンド  
３  嵌合フランジ固定バンド爪  
４  嵌合フランジ固定レバー  
５  保持杆
６  プッシュレバー回動支点    
６-1  嵌合フランジ固定レバー回動支点    
６-2  嵌合フランジ固定バンド回動支点
６-3  ストッパー回動支点            
６-4  押圧子回動支点  
６-5  Ｖ字カム回動支点
６-6  Ｅ字フック回動支点    
７  ストッパー    
８  プッシュレバー  
９  グリップ
１０  Ｅ字フック    
１１  回転スプリング    
１２ストッパー位置    
１３  Ｖ字カム
１４  押圧子      
１４−1固定押圧子
１５  突角    
１６  作動スプリング
３１  嵌合フランジ押さえ
３２  嵌合フランジバンド
３３  嵌合フランジ固定レバー
４１  キャップ形態保持
４２  噴射押圧レバー
４３  高低調整ネジ
４４  嵌合フランジＢ部固定バンド
４５  バンド固定レバー
５１  ノド部挟み板保持部
５２  挟み固定ツマミ
５３  ノド部固定挟み板
５４  押圧子Ｘ
５５  押圧子Ｘ固定ネジ
６５  腕杆
６８  操作レバー
６９  握保持部
６１４  指圧部操作杆
７１  ストッパー爪
７２  クランプバンド爪
７３  クランプバンド
７３ａ  フック
７４  角型リング
７５  リング固定レバー
７６  キャプ
【図１】
0003125848.tif 000003
【図２】
0003125848.tif 000004
【図３】
0003125848.tif 000005
【図４】
0003125848.tif 000006
【図５】
0003125848.tif 000007
【図６】
0003125848.tif 000008
【図７】
0003125848.tif 000009
【図８】
0003125848.tif 000010
【図９】
0003125848.tif 000011
【図１０】
0003125848.tif 000012